(57)【要約】      （修正有）【課題】長さのある三角柱たわしによって、容器の角隅や溝状となる狭いところを洗い落し易くし、その三角柱の三つの側面を三種類の洗浄面としたスポンジたわしを提供するものである。【解決手段】三角柱を横倒し状態で使用する長さがあってスポンジや洗浄素材による三角柱を本体１とし、その上面部２と底面部３との三角形の面の形状をその三角形の頂点４が三角形の底辺部５の両端部６を含めた底辺部５の上方に位置する形状としているものとしているものや、その三角形の頂点４が三角形の底辺部５の両端部６より外側上方に位置する形状とすることも出来、その三角形の面の頂点４が連なって形成されている長さのある峰状となった部分を握り部７として使用するもので、その握り部７の下側となる三角柱の側面を主とした洗浄面８として使用するものであり、三つの小型三角柱の頂点をまとめて一つの三角柱とした本体を形成することも考えられる。【選択図】図１
2011078552.tif 000002
【特許請求の範囲】
【請求項１】
スポンジや洗浄素材の少なくとも一種類によるたわしを長さのある三角柱として本体を形成し、その長さのある三角柱の三つの側面を主とした洗浄面とし、その本体を横倒しにして一つの洗浄面が下側になる状態としたときにその洗浄面の上側に位置する頂点によって連なる峰状の部分を握り部として本体を構成しているものであることを特徴とする長さのある三角柱たわし。
【請求項２】
長さのある三角柱の上面部と底面部との三角面の形状をその三角形の頂点が底辺部の両端部を含む位置の上方となる位置状態とした三角柱を形成し、その三角柱の三つの側面をそれぞれ異なる洗浄素材による洗浄面として本体を構成しているものであることを特徴とする請求項１に記載の長さのある三角柱たわし
【請求項３】
小型三角柱の上面部と底面部との三角形の面の形状をその三角形の頂点の角度が１２０度とした二等三角形の小型三角柱を三本形成し、その三本の小型三角柱をそれぞれに異なる洗浄素材による三種類の小型三角柱として形成し、その三本の小型三角柱の頂点を一箇所に寄せ集めて三種類の洗浄面を具備する一つの三角柱となる本体を構成したものであることを特徴とする請求項１に記載の長さのある三角柱たわし。
【請求項４】
小型三角柱の頂点の角度を１２０度と限定しない様々な角度で、三つの頂点の角度による和が３６０度の組み合わせで小型三角柱の隣りと接触する底辺の角部の先端をお互いが一致させることで一つの三角柱となる本体を構成したものであることを特徴とする請求項３に記載の長さのある三角柱たわし。
【請求項５】
小型三角柱の頂点の角度を寄せ合せる小型三角柱における底辺の角部の先端をお互いにずらして合わせない状態として本体を構成したものであることを特徴とする請求項３又は請求項４に記載の長さのある三角柱たわし。
【発明の詳細な説明】
【技術分野】
【０００１】
本発明は角隅や溝状となる狭いところを洗い易くするたわしに関するものである。
【背景技術】
【０００２】
従来、台所での食器や容器などの汚れを洗い落とすときのたわしとしてはスポンジたわしが使用されているものであって、その形状は高さを低くした四角柱、円柱や楕円柱などの上面と下面とを洗浄面として使用されているものであった。
【０００３】
その他のたわしとしては、たわしの形状を三角柱の高さを低くしたものがあって、その三角柱の上面と底面となる三角平面を手で握るときの指で押さえる握り部とし使用するものとしており、手の平への納まりが良いものとして角型容器のコーナー部分やコップの底を洗浄し易くするものであって、その三角柱形状の細い形状部分によってコーナーやコップの内底を主に洗浄するものとしているスポンジたわしの特許文献１があった。
【先行技術文献】
【特許文献】
【０００４】
【特許文献１】登録実用新案第３０２３７１１号公報
【発明の概要】
【発明が解決しようとする課題】
【０００５】
従来の高さが低くい四角柱や円柱、楕円柱などのスポンジたわしにおいては、その柱体の上面と底面との二種類の洗浄面を設けているもので、その二種類の洗浄面だけでは洗い落とせない汚れのものに対しては、その汚れに対処できる洗浄面を設けている他のスポンジたわしに持ち替えて洗浄する持ち替える手間が掛かる欠点があった。
【０００６】
また、特開平１０−１４６６８号のものにおいては一種類のスポンジによって形成されており、角容器のコーナー部分やコップの内底にフィットさせる形状にしているもので角容器のコーナー部分にフィットした部分が小さく洗浄作業に手間が掛かるものであり、狭い角部分や深い溝の奥が洗い難かったりする欠点があった。
【０００７】
本発明は、このようなスポンジたわしの角となる洗浄部分の長さを長くして狭い角部分や深い溝の奥を洗い易くし、三種類の洗浄機能面を設けた形状とすることができ、狭い角部分や深い溝の奥でも洗い易くするスポンジたわしを提供するものである。
【課題を解決するための手段】
【０００８】
本発明は、洗浄場における食器等を洗浄するために使用するスポンジたわしに関するものであって、三角柱を横倒し状態で使用する長さのある三角柱を本体１としていてその三つの側面を洗浄面８として働かせ、その三つの角部分においては洗浄角部としての働らきができるものであり、洗浄作業を行っているときの洗浄面８の上側となった頂点４が連なって峰上と成っている部分を握り部７として使用するものとしており、一種類の洗浄素材によって本体１を構成するたわしが基礎となって様々な形状や構成による長さのある三角柱たわしが考えられるものである。
【０００９】
本体１とした三角柱の上面部２と底面部３との三角形の面の形状は自由であるが、その
三角形の頂点４が三角形の底辺部５の両端部６を含めた底辺部５の上方に位置する形状としたものが洗浄作業を安定状態で行なえるものであって、三角形の頂点４が三角形の底辺部５の両端部６より外側上方に位置する形状とすることが考えられものではあるが洗浄作業を安定状態で行い難くなるものである。
【００１０】
その三角形の面の頂点４が連なって形成されている長さのある峰状となった部分を握り部７として使用することが出来るもので、その握り部７の下側となる三角柱の側面を主とした洗浄面８として面の汚れ落しに使用するものである。
【００１１】
三角形の頂点４が三角形の底辺部５の両端部６を含む底辺部５の上方に位置する形状としている三角形としては、正三角形や二等辺三角形等が考えられるものであり、その頂点４が連なって長さのある峰状となったところを握り部７として使用し、その握り部７を上にしてその下となる三角柱の側面となる洗浄面８はその握り部７を横転させて今まで下側の横端になっていた角を上にすることで、その握り部７と洗浄面８とが別の新しい握り部７と洗浄面８とに変ることができるものとしていることから三箇所の洗浄面８にそれぞれの三種類の機能の異なる洗浄面８を設けることができる。
【００１２】
そして、汚れた平面を洗浄する他には、容器の狭い隅や深い溝の奥の汚れに対して三角面の角が鋭角と成っているので、その鋭角の角が容器の狭い隅や深い溝の奥に入ることが容易になり、直角の角より鋭角の角の部分では押付や擦り洗う力の強い作用が働くことになるもので、その強い作用が働くことを理解する例え話しとしては皮膚に鉛筆の端で押すより芯の先で押した痛さの方が強いという痛さの違いで分かるように、汚れ落しが容易に出来るものとしている。
【００１３】
本体１を形成する他の手段としては、三個の小型三角柱１０を寄せ合せることで長さのある一個の本体１を形成することを考えることができるもので、その小型三角柱の上面部２と底面部３との三角形の面の形状は、その頂点４の角度を１２０度とした同じ大きさの二等辺三角形とした小型三角柱１０を三個作成し、その小型三角柱１０を三種類の洗浄素材によるそれぞれの小型三角柱１０として形成し、その三個の小型三角柱１０における１２０度の頂点４を一箇所に集めることで一つの新しい三角柱が形成されて三種類の洗浄面８を具備した本体１を形成することが考えられる。
【００１４】
小型三角柱１０の上面部２と底面部３との三角面の頂点４角度を様々な角度のもので三つの頂点４の角度による和が３６０度の組み合わせとなるそれぞれの角度としてその小型三角柱１０の大きさには関係無くそれぞれの小型三角柱１０を形成し、その小型三角柱１０を寄せ合せて隣り合う側面が接触する辺の長さが同じなものによる一つの新しい三角柱が考えられ、その隣り合う側面が接触する辺の長さが異なって角がずれるものとした握り部７が変形状になる一つの新しいとの三角形の頂点４を一箇所に集めることにより三角柱を形成することも考えることができるものである。
【発明の効果】
【００１５】
本発明の長さのある本体１には握り部７が峰と成っていて指で握り易く、三種類の洗浄面８を設けてあので他のたわしに持ち替えることなく、同じたわしの隣の握り部７を握り替えるだけで新しい洗浄面８を即座に使用することができる優れた効果のあるたわしである。
【００１６】
そして、この長さのある本体１の角部分が鋭角であることから、従来の直角のたわしより本体１の角部分の洗浄力が強く、その角部分が容器の隅や深い溝の中に容易に挿入することが出来、深い溝の汚れを落とすときの状態での持ち方としては洗浄面８の両端部６から頂点４に向けて先細状態の傾斜となって持ち易く、力の伝わりが良いので汚れ落し作業が効果的に作用する利点がある。
【００１７】
また、この長さのある本体１は、水切りラックに入れておくときには頂点４を下向きにすれば水切りが速く、洗浄面８より小さい長方形の枠体や二本の棒体を向い合わせにしただけの水切りラックに収納することもでき、従来の水切りラックに収納するときには三角柱であることからその頂点４を収納されているたわんとたわしの隙間に差し込むことができる便利さがある。
【図面の簡単な説明】
【００１８】
【図１】本発明の一つの実施例を示す斜視図である。
【図２】握り部を握り持つ状態を示す斜視図である。
【図３】二等辺三角形による長さのある本体を示す斜視図である。
【図４】１２０度の角度のある三角柱を纏めた本体を示す斜視図である。
【図５】角度が１２０度以外の三角柱を纏めた上面部を示す正面図である。
【図６】底辺の角部をお互いがずれた状態とした上面部を示す正面図である。
【発明を実施するための形態】
【００１９】
以下、実施例を図面にもとづいて説明するが、本発明の基礎は、スポンジや洗浄素材の少なくとも一種類によるたわしを長さのある三角柱として本体１を形成し、その長さのある三角柱の三つの側面を主とした洗浄面８とし、その本体１を横倒しにして一つの洗浄面８が下側になる状態にしたときにその洗浄面８の上側に位置する頂点４の連なりによる峰状の部分を握り部７とした本体１を構成している長さのある三角柱たわしとしているものである。
【実施例１】
【００２０】
本発明に係わる実施例の一つとしては、図１に示すように、三角柱の上面部２と底面部３との三角形の形状を正三角形としたもので、その三角柱を横倒し状態で使用する長さのある三角柱たわしをスポンジによって形成して本体１とし、その上面部２と底面部３との三角形の面の形状を正三角形としており、その三角形の頂点４が三角形の底辺部５の両端部６を含む底辺部５の上方となる形状としているものである。
【００２１】
その三角柱の上面部２と底面部３との三角形の頂点４が三角形の底辺部５の両端部６より外側に出た形状とすることも考えられるが、握り部７から洗浄面８への力の伝わりが弱いものとなるので頂点４が三角形の底辺部５の両端部６を含む底辺部５の上方となる形状としたものより使用具合が良いものと成らないものである。
【００２２】
その三角形の面の頂点４が連なって形成している長さのある峰状の部分を握り部７として使用するもので、その握り部７の下側となる三角柱の側面を主として洗浄面８とすることで三角柱には三つの側面があることから三つの側面にそれぞれ異なる三つの洗浄面８を設けた本体１を形成しているものである。
【００２３】
そして、本体１に設けている三つの洗浄面８の一つには、その本体１を形成しているそのままの柔らかいスポンジ面によって形成し、その二つ目の洗浄面８には硬めのスポンジ面を設け、その三つ目の洗浄面８には研磨性のある面を設けて三種類の洗浄面８を一つの本体１に設けた長さのある三角柱たわしを形成しているものである。
【００２４】
したがって、本発明の長さのある三角柱たわしを使用するときには、図２に示すようにして、握り部７を持って容器の汚れ面に洗浄面８を押し当てて擦れば汚れが洗い落とせるものであり、その汚れが洗い落とせないときには握っている手を隣りの握り部７に持ち替えることで、他の洗浄面８を使用することが可能となるもので別のたわしに持ち替える手間がはぶける便利さがある。
【００２５】
そして、本体１の頂点４が連なる長さのある峰状の部分となる三つの角縁が鋭角に成っているので、その角縁の部分が容器の狭い隅や深い溝の中に容易に挿入することが可能となるので狭いところの汚れを洗い落とすことが出来るものとしているもので、その鋭角に成っている角縁の部分に僅かな丸みを設けることは当然考えられるものであり、その角縁の部分による洗い落すときの持ち方としては洗浄面８の両端部６から頂点４に向けて先細状態の傾斜となっているところを握るので持ち易いものである。
【００２６】
また、図３に示すものは、本体１の上面部２と底面部３との三角形の形状を高さのある二等辺三角形としたものを示す長さのある三角柱たわしとしているものである。
【実施例２】
【００２７】
本体１を形成する他の実施例としては、図４に示すように、三個の小型三角柱１０を寄せ合せることで長さのある一個の本体１を形成することを考えることができるものであって、小型三角柱１０の上面部２と底面部３との三角形の頂点４の角度を１２０度とした三個の二等辺三角形の小型三角柱１０を柔らかいスポンジ、硬いスポンジそれに研磨性のあるスポンジ等による三種類の洗浄素材によってそれぞれの小型三角柱１０を形成し、それぞれ三個の小型三角柱１０の頂点４を一箇所に集めることで一つの新しい三角柱を形成した三種類の洗浄面８を備えた本体１にすることが考えられる。
【実施例３】
【００２８】
その他に考えられるものとしては、小型三角柱１０の上面部２と底面部３との三角形の頂点４の角度を１２０度以外で三つの頂点４の角度による和が３６０度の組み合わせとなって、同じ大きさでない小型三角柱１０とした三角形の頂点４を一箇所に集めた小型三角柱１０の寄せ合せて、隣り合せとなる側面が接触する辺の長さが同じな長さとすることで一つの新しい三角柱とする変形状の三角柱を、図５に示すように、頂点４の角度を１００度、１２０度、１４０度として底辺の角部９をお互いに合わせた状態として形成することが考えられる。
【００２９】
同じ大きさでない小型三角柱１０とした三角形の頂点４を一箇所に集めることで変形状の三角柱を形成する他の考え方としては、図６に示すように、小型三角柱１０の頂点４の角度を纏めた小型三角柱１０の底辺の角部９をお互いにずらして合わせない状態として形成することが考えられるもので、その本体１の角から洗浄素材を突出させた状態として形成することが考えられ、小型三角柱１０を同じ直角三角形とした二つのものだけによるものでも、その直角部分を一箇所に集めることで本体１を形成することが考えられる。
【００３０】
本体１とした三角柱の上面部２と底面部３との三角形の面の形状は、以上の実施例で記述したもの以外に考えられるものとして、その三角形の頂点４が三角形の底辺部５の両端部６より外側となる上方に位置する形状とすることも考えられものではあるが洗浄作業が不安定状態となるものである。
【００３１】
柔らかいスポンジ、硬いスポンジ、それに研磨性のあるスポンジ等による三種類の洗浄素材による組み合せは、様々な洗浄素材による様々な組み合せとすることは自由であり、
小型三角柱１０とした三角形の頂点４を一箇所に集めるときに接触するお互いの面の間に薄板を設けて、その薄板の縁によってこびり付いた汚れを掻き落とすものにすることは従来技術から容易に考えられるものである。
【符号の説明】
【００３２】
１  本体
２  上面部
３  底面部
４  頂点
５  底辺部
６  両端部
７  握り部
８  洗浄面
９  底辺の角部
１０  小型三角柱
【図１】
2011078552.tif 000003
【図２】
2011078552.tif 000004
【図３】
2011078552.tif 000005
【図４】
2011078552.tif 000006
【図５】
2011078552.tif 000007
【図６】
2011078552.tif 000008